(57)【要約】      （修正有）【課題】蒸気洗浄アプリケータへの蒸気送出効率を向上させた蒸気洗浄機を提供する。【解決手段】蒸気が、蒸気発生ユニットから蒸気洗浄アプリケータに、蒸気洗浄アプリケータのハンドル内に延在する蒸気導管１１０を介して送出される、蒸気洗浄機器であり、蒸気導管は、ハンドルから取外し可能である。具体的には、蒸気発生ユニットと、蒸気洗浄アプリケータと、前記蒸気洗浄アプリケータに蒸気を案内するように前記蒸気発生ユニットに取付可能な蒸気導管であって、前記蒸気洗浄アプリケータが当該蒸気導管に取付可能なハンドルを有する蒸気導管とを具備し、前記蒸気導管の一部分が、当該蒸気導管の蒸気出口２１２が前記ハンドルの把握部２０６の遠位に配置されかつ前記蒸気洗浄アプリケータと連通するように、前記ハンドル内を貫通可能である。【選択図】図２
0003160353.tif 000002
【実用新案登録請求の範囲】
【請求項１】
蒸気発生ユニットと、
蒸気洗浄アプリケータと、
前記蒸気洗浄アプリケータに蒸気を案内するように前記蒸気発生ユニットに取付可能な蒸気導管であって、ハンドルを有する前記蒸気洗浄アプリケータに取付可能な、蒸気導管と、
を具備し、
前記蒸気導管の一部分が、当該蒸気導管の蒸気出口が前記ハンドルの把握部の遠位に配置されかつ前記蒸気洗浄アプリケータと連通するように、前記ハンドル内を貫通可能である、蒸気洗浄機。
【請求項２】
前記蒸気導管の前記蒸気出口が前記ハンドルの遠位に配置される、請求項１に記載の蒸気洗浄機。
【請求項３】
前記ハンドル内を貫通可能な前記蒸気導管の前記一部分が、前記ハンドルから取外し可能である、請求項１に記載の蒸気洗浄機。
【請求項４】
前記蒸気洗浄アプリケータが、前記ハンドルから延在する支持フレームに配置された蒸気透過性布を含む、請求項１に記載の蒸気洗浄機。
【請求項５】
前記ハンドル内を貫通可能な前記蒸気導管の前記一部分が、細長い心棒を含む、請求項１に記載の蒸気洗浄機。
【請求項６】
前記細長い心棒が、前記蒸気導管と比較して断面寸法が小さい、請求項５に記載の蒸気洗浄機。
【請求項７】
前記細長い心棒が、前記蒸気洗浄アプリケータと封止を確立する封止要素を有する、請求項５に記載の蒸気洗浄機。
【請求項８】
蒸気発生ユニットと、
蒸気洗浄アプリケータと、
前記蒸気洗浄アプリケータに蒸気を案内するように前記蒸気発生ユニットに取付可能な蒸気導管であって、前記蒸気洗浄アプリケータが取付可能なハンドルを有する、蒸気導管と、
を具備し、
前記蒸気導管の一部分が、前記蒸気導管の蒸気出口が前記ハンドルの把握部の遠位に配置されかつ前記蒸気洗浄アプリケータと連通するように、前記ハンドル内を貫通可能である、蒸気洗浄機。
【請求項９】
前記蒸気導管の前記一部分が前記ハンドル内を貫通可能であり、前記蒸気導管の前記蒸気出口が前記ハンドルの遠位に配置される、請求項８に記載の蒸気洗浄機。
【請求項１０】
前記蒸気洗浄アプリケータが、前記ハンドルから延在する支持フレームに配置された蒸気透過性布を含む、請求項８に記載の蒸気洗浄機。
【請求項１１】
前記ハンドル内を貫通可能な前記蒸気導管の前記一部分が、細長い心棒を含む、請求項８に記載の蒸気洗浄機。
【請求項１２】
前記細長い心棒が、前記蒸気導管と比較して断面寸法が小さい、請求項８に記載の蒸気洗浄機。
【請求項１３】
前記細長い心棒が、前記蒸気洗浄アプリケータと封止を確立する封止要素を有する、請求項８に記載の蒸気洗浄機。
【考案の詳細な説明】
【技術分野】
【０００１】
考案の分野
本考案は、概して蒸気洗浄機に関し、特に蒸気発生ユニットから蒸気洗浄アプリケータへの蒸気の移送に関する。
【背景技術】
【０００２】
関連技術の説明
家庭において、洗浄および消毒のために床に蒸気を当てる蒸気機器が使用されている。さまざまな種類の蒸気機器が知られており、たとえばキャニスタ型蒸気機器および自立型スチームモップがある。キャニスタ型蒸気機器は、通常、回転式蒸気発生ユニットと、蒸気発生ユニットから蒸気を移送するホースと、ポールと、ポールの端部に接続されるモップヘッドまたは他の付属品とを有している。自立型スチームモップでは、蒸気発生ユニットはポールに直接取り付けられている。手持ち型蒸気機器は、通常、容器と、容器の口から直接蒸気を放出するノズルとを有している。
【考案の概要】
【考案が解決しようとする課題】
【０００３】
本考案の課題は、蒸気洗浄アプリケータへの蒸気送出効率を向上させることにある。
【課題を解決するための手段】
【０００４】
概要
本明細書において提供する本考案の実施形態は、蒸気機器システムおよび蒸気洗浄アプリケータであって、蒸気が、蒸気洗浄アプリケータのハンドルに沿って伸びる導管を通して蒸気洗浄アプリケータに提供される、蒸気機器システムおよび蒸気洗浄アプリケータに関する。
【０００５】
本考案の一実施形態によれば、蒸気洗浄機は、蒸気発生ユニットと、蒸気洗浄アプリケータと、蒸気洗浄アプリケータに蒸気を案内するように蒸気発生ユニットに取付可能な蒸気導管とを有し、蒸気洗浄アプリケータは、蒸気導管に取付可能なハンドルを有する。蒸気導管の一部分は、蒸気導管の蒸気出口がハンドルの把握部の遠位に配置されかつ蒸気洗浄アプリケータと連通するように、ハンドル内に延在可能である。
【０００６】
本考案の別の実施形態によれば、蒸気洗浄機は、蒸気発生ユニットと、蒸気洗浄アプリケータと、蒸気洗浄アプリケータに蒸気を案内するように蒸気発生ユニットに取付可能な蒸気導管とを有し、蒸気導管は、蒸気洗浄アプリケータが取付可能なハンドルを有する。蒸気導管の一部分は、蒸気導管の蒸気出口がハンドルの把握部の遠位に配置されかつ蒸気洗浄アプリケータと連通するように、ハンドル内に延在可能である。
【０００７】
本考案のさまざまな実施形態は、いくつかの利点を提供する。本考案のすべての実施形態が同じ利点を共有するとは限らず、同じ利点を共有する実施形態がすべての状況下でそれらを共有するとは限らない。
【０００８】
本考案のさらなる特徴および利点を、本考案のさまざまな実施形態の構造とともに、添付図面を参照して以下詳細に説明する。
【０００９】
添付図面は、原寸に比例して描かれるように意図されてはいない。明確性担保のために、すべての図面においてすべての部品に符号を付しているとは限らない。
【図面の簡単な説明】
【００１０】
【図１】本考案の一実施形態による蒸気機器システムの側面図である。
【図２】本考案の一実施形態による細長い心棒を有する蒸気導管の側面図である。
【図３】図２に示す蒸気導管と使用される蒸気洗浄アプリケータハンドルの側面図である。
【図４】蒸気洗浄アプリケータハンドル内に挿入された細長い心棒の側面図である。
【考案を実施するための形態】
【００１１】
詳細な説明
本明細書において提供する実施形態は、蒸気が蒸気発生ユニットから、蒸気洗浄アプリケータのハンドル内に延在する蒸気導管を介して蒸気洗浄アプリケータまで送出される、蒸気機器システムに関する。ハンドル内で放出される蒸気の量を制限することにより、システムのさまざまな構成が、蒸気洗浄アプリケータへの蒸気送出の効率を向上させ、かつ／または蒸気洗浄アプリケータハンドルの温度を低下させることができる。システムに、いつかの異なる着脱可能蒸気洗浄アプリケータを提供することができる。実施形態によっては、各蒸気洗浄アプリケータにはハンドルが取り付けられており、他の実施形態では、ハンドルはメインシステムに設けられ、さまざまな蒸気洗浄アプリケータはハンドルに取付可能である。各蒸気洗浄アプリケータにハンドルが取り付けられている場合、蒸気導管は、ハンドルに挿入可能でありかつハンドルから取外し可能であり得る。
【００１２】
実施形態によっては、蒸気導管は、蒸気洗浄アプリケータハンドルの内部を貫通し、蒸気洗浄アプリケータの蒸気入口に入る。実施形態によっては、蒸気導管は、蒸気洗浄アプリケータハンドルを少なくとも部分的に貫通し、蒸気導管の蒸気出口が蒸気洗浄アプリケータと連通する。蒸気導管は、蒸気洗浄アプリケータハンドルの遠位に、場合によっては蒸気洗浄アプリケータハンドルの把握部の遠位に配置されるように、ハンドル内に十分延在してもよい。こうした構成により、蒸気からハンドルに伝達される熱の量を制限し、蒸気洗浄アプリケータに送出される蒸気を保存することができる。
【００１３】
本明細書において開示する蒸気機器システムの実施形態は、ハンドルが取り付けられている複数の着脱可能蒸気洗浄アプリケータを有する。実施形態によっては、蒸気導管は蒸気洗浄アプリケータハンドルから取外し可能である。この構成は、可撓性ホースの遠位端に取り付けられる細長い心棒を含むことができる。細長い心棒は、ハンドル内に、場合によってはハンドルを越えて延在可能である。ハンドル内に延在する着脱可能蒸気導管を提供することにより、蒸気洗浄アプリケータが蒸気機器に取り付けられる度に、ハンドルの近位端において２つの別個の導管部分の間に封止を確立する必要がなくなる。
【００１４】
図１に、２つの取付可能な蒸気洗浄アプリケータ１０２、１０４を有する蒸気機器システム１００を示す。蒸気洗浄アプリケータ１０２、１０４は、各々ハンドル１０７を有していてもよく、それは、アプリケータに永久的にまたは脱着可能に取り付けられている。図１の実施形態では、蒸気機器システム１００は、蒸気発生ユニット１０８、蒸気導管１１０および取り付けられた蒸気洗浄アプリケータ１０２を有している。蒸気発生ユニット１０８は、いなかる好適な種類の蒸気発生システムを有していてもよく、たとえば冷却水貯蔵器１１２およびアルミニウムダイカスト蒸気発生器（図示せず）があり得る。実施形態によっては、水を、その貯蔵器内でその沸点まで加熱して蒸気を生成してもよい。蒸気発生方法は、本考案の限定態様であるようには意図されていないことが留意されるべきである。
【００１５】
実施形態によっては、蒸気発生ユニット１０８は手持ち型であり、他の実施形態では、ショルダストラップを有していてもよく、あるいは車輪または他のローラを有していてもよい。
【００１６】
蒸気導管１１０は、実施形態によっては可撓性ホースである。蒸気導管１１０は、バヨネットコネクタ等の着脱可能コネクタを含む任意の好適な取付具１１４により、蒸気発生ユニット１０８に取付可能であってもよい。
【００１７】
さまざまな蒸気洗浄アプリケータの取外しおよび取付を容易にするために、図２に示すように、蒸気導管１１０に細長い心棒２０８を設けることができる。この実施形態では、蒸気機器は、蒸気導管１１０に取り付けられた外部ねじ込み式コネクタ部２０２を有している。蒸気導管１１０およびねじ込み式コネクタ部２０２には、蒸気導管１１０およびハンドル１０７を取り付けるかまたは取り外す時に使用者が把持する把握部２０６が取り付けられている。
【００１８】
蒸気導管は、ハンドル１０７を介して蒸気出口２１２まで蒸気を案内する細長い心棒２０８を有している。心棒２０８にＯリング２１０または他の封止要素を配置して蒸気洗浄アプリケータとの封止を確立してもよく、その封止は蒸気洗浄アプリケータのハンドル内であっても、蒸気洗浄アプリケータ自体の内部であってもよい。
【００１９】
細長い心棒２０８は、図３に示すような第１開口部３０２等の開口部を通してハンドル１０７内に延在することができる。実施形態によっては、細長い心棒２０８は、少なくとも部分的にハンドル１０７内に延在する。実施形態によっては、細長い心棒２０８は、ハンドル１０７を貫通し、蒸気出口２１２は、ハンドル１０７の把握部を越えて配置される（把握部は、図３の実施形態ではつば（guard）３０４に近接するハンドル１０７の部分である）。蒸気出口２１２を把握部の遠位に配置することにより、ハンドルへの熱伝達を制限することができる。
【００２０】
実施形態によっては、細長い心棒２０８はハンドル１０７内を貫通し、第２開口部３０６から出て、ハンドル１０７に取り付けられる蒸気洗浄アプリケータ内に延在する。こうした実施形態では、蒸気導管１１０の蒸気出口２１２は、ハンドル１０７の全体の遠位に配置される。本明細書で説明した構成は、蒸気洗浄アプリケータに送出される蒸気を保存するのに役立つことができ、それにより蒸気洗浄アプリケータに蒸気を送出する効率が向上する。
【００２１】
蒸気導管１１０の使用方法は、細長い心棒２０８を第１蒸気洗浄アプリケータのハンドル内に挿入することと、第１蒸気洗浄アプリケータのハンドルに導管を取り付けることと、蒸気機器を用いて面を洗浄し消毒することと、蒸気洗浄アプリケータから細長い心棒２０８を取り外すことと、細長い心棒２０８を第２蒸気洗浄アプリケータのハンドル内に挿入することと、第２蒸気洗浄アプリケータのハンドルに導管を取り付けることとを含む。
【００２２】
蒸気洗浄アプリケータ１０２を、蒸気洗浄アプリケータの両端方向を中心に、またはハンドル１０７の両端方向を中心に回転させることができる。実施形態によっては、ピッチ回転および／またはヨー回転が同様に可能であってもよい。本明細書で説明した構造に加えて、またはその代わりに、ユニバーサルジョイントを用いてもよい。
【００２３】
コネクタ部２０２が、ハンドル１０７内に含まれる相補的なコネクタ部（図示せず）と係合してもよい。実施形態によっては、ハンドル１０７内に絶縁材を設けてもよい。
【００２４】
本明細書の目的で、「接続する」、「接続された」、「接続」、「取り付ける」、「取り付けられた」および「取付」という用語は、直接的な接続および取付、間接的な接続および取付、ならびに動作可能な接続および取付を指す。たとえば、蒸気洗浄アプリケータ１０２は、直接にはハンドル１０７に接続され、ハンドル１０７が蒸気導管１１０に接続されているが、蒸気導管１１０に接続されているものとみなされる。また本明細書の目的で、「接続可能」、「取付可能」、「着脱可能」、「延在可能」等の用語は、接続される、取り付けられる、取り外される、延在される等が可能な部品を指すとともに、接続される、取り付けられる、取り外される、かつ延在される部品も指す。
【００２５】
このように本考案の少なくとも１つの実施形態のいくつかの態様について説明したが、当業者には、さまざまな改変、変更および改善が容易に思いつくであろうということが理解されるべきである。こうした改変、変更および改善は、本開示の一部であるように意図されており、本考案の精神および範囲内にあるように意図されている。したがって、上述した説明および図面は、単に例としてのものである。
【符号の説明】
【００２６】
１００  蒸気機器システム
１０２，１０４  蒸気洗浄アプリケータ
１０７  ハンドル
１０８  蒸気発生ユニット
１１０  蒸気導管
２０８  細長い心棒
２１０  Ｏリング
２１２  蒸気出口
【図１】
0003160353.tif 000003
【図２】
0003160353.tif 000004
【図３】
0003160353.tif 000005
【図４】
0003160353.tif 000006
【手続補正書】
【提出日】平成22年4月9日(2010.4.9)
【手続補正１】
【補正対象書類名】実用新案登録請求の範囲
【補正対象項目名】請求項１２
【補正方法】変更
【補正の内容】
【請求項１２】
前記細長い心棒が、前記蒸気導管と比較して断面寸法が小さい、請求項１１に記載の蒸気洗浄機。
【手続補正２】
【補正対象書類名】実用新案登録請求の範囲
【補正対象項目名】請求項１３
【補正方法】変更
【補正の内容】
【請求項１３】
前記細長い心棒が、前記蒸気洗浄アプリケータと封止を確立する封止要素を有する、請求項１１に記載の蒸気洗浄機。